(57)【要約】【課題】筐体貫通部でのガスリークや雨水の浸入を防止し、しかも設置作業が容易な、タップ切り換え器付き変圧器を提供する。【解決手段】変圧器は、複数の端子２１を持つ巻線１５と、巻線１５を絶縁する絶縁媒体１１と、端子２１との接続を選択するタップ切り換え器１と、タップ切り換え器１の選択位置を示す表示部７と、巻線１５、絶縁媒体１１およびタップ切り換え器１を収容して密閉され接地された本体筐体３と、本体筐体３の上面に形成された筐体貫通部４で本体筐体３を貫通しタップ切り換え器１を切り換える駆動軸２と、を有する。変圧器はさらに、本体筐体３の上方で本体筐体３に対して液密に取り付けられ筐体貫通部４および駆動軸２上端を被うように配置された駆動ユニット筐体２３と、駆動ユニット筐体２３内に配置され動力源２０を有して駆動軸２を駆動する駆動ユニット５と、を有する。【選択図】図２
2007335770.tif 000002
【特許請求の範囲】
【請求項１】
複数の端子を持つ巻線と、
前記巻線を絶縁する流体の絶縁媒体と、
前記端子との接続を選択するタップ切り換え器と、
前記タップ切り換え器の選択位置を示す表示部と、
前記巻線、絶縁媒体およびタップ切り換え器を収容して密閉され接地された本体筐体と、
前記本体筐体の上面に形成された筐体貫通部で本体筐体を貫通し、前記タップ切り換え器を切り換える駆動軸と、
を有するタップ切り換え器付き変圧器において、
前記本体筐体の上方で前記本体筐体に対して液密に取り付けられ、前記筐体貫通部および前記駆動軸上端を被うように配置された駆動ユニット筐体と、
前記駆動ユニット筐体内に配置され、動力源を有して前記駆動軸を駆動する駆動ユニットと、
を有することを特徴とするタップ切り換え器付き変圧器。
【請求項２】
前記絶縁媒体は液体であって、
前記絶縁媒体の液面が内部に形成されるように絶縁媒体を収容して、その液面よりも下方で前記本体筐体に連通し、液面よりも上方で前記駆動ユニットに連通するように構成されて、前記絶縁媒体の熱膨張を吸収してその液面を内部に維持するコンサベータをさらに有すること、
を特徴とする請求項１に記載のタップ切り換え器付き変圧器。
【請求項３】
前記筐体貫通部は前記駆動軸に対して液密にシールされていること、を特徴とする請求項１または請求項２に記載のタップ切り換え器付き変圧器。
【請求項４】
前記筐体貫通部がシール機能を持たずに連通していることを特徴とする請求項１に記載のタップ切り換え器付き変圧器。
【請求項５】
前記絶縁媒体は液体であって、
前記本体筐体内に絶縁媒体の液面が形成され、
前記駆動ユニットが前記液面の上方に配置されていること、
を特徴とする請求項４に記載のタップ切り換え器付き変圧器。
【請求項６】
前記本体筐体と駆動ユニット筐体とが一体に形成されていること、を特徴とする請求項４または請求項５に記載のタップ切り換え器付き変圧器。
【請求項７】
複数の端子を持つ巻線と、
前記巻線を絶縁する流体の絶縁媒体と、
前記端子との接続を選択するタップ切り換え器と、
前記タップ切り換え器の選択位置を示す表示部と、
前記巻線、絶縁媒体およびタップ切り換え器を収容して密閉され接地された本体筐体と、
前記タップ切り換え器を切り換える駆動軸と、
動力源を有して前記駆動軸を駆動する駆動ユニットと、
を有するタップ切り換え器付き変圧器において、
前記駆動軸は前記本体筐体内に収容され、
前記駆動ユニットは前記本体筐体の上方に配置され、
前記本体筐体の壁を通して前記駆動ユニットの駆動力を前記駆動軸に伝達する力伝達機構を有すること、
を特徴とするタップ切り換え器付き変圧器。
【請求項８】
前記本体筐体の壁の少なくとも一部は非磁性材料からなり、
前記力伝達機構は、前記本体筐体の非磁性材料の部分を透過する磁力を利用したものであること、
を特徴とする請求項７に記載のタップ切り換え器付き変圧器。
【請求項９】
前記本体筐体には覗き窓が設けられ、前記タップ切り換え器の選択位置を前記本体筐体の外から目視できるように構成されていることを特徴とする請求項１ないし請求項８のいずれか一項に記載のタップ切り換え器付き変圧器。
【請求項１０】
前記本体筐体の壁を通して前記タップ切り換え器の選択位置に関する情報を前記本体筐体の外に伝達して表示する伝達表示機構を有することを特徴とする請求項１ないし請求項９のいずれか一項に記載のタップ切り換え器付き変圧器。
【請求項１１】
前記本体筐体の壁の少なくとも一部は非磁性材料からなり、
前記伝達表示機構は、前記本体筐体の非磁性材料の部分を透過する磁力を利用して前記情報を伝達するものであること、
を特徴とする請求項１０に記載のタップ切り換え器付き変圧器。
【請求項１２】
複数の端子を持つ巻線と、
前記巻線を絶縁する流体の絶縁媒体と、
前記端子との接続を選択するタップ切り換え器と、
前記タップ切り換え器の選択位置を示す表示部と、
前記巻線、絶縁媒体およびタップ切り換え器を収容して密閉され接地された本体筐体と、
前記本体筐体の上面に形成された筐体貫通部で本体筐体を貫通し、前記タップ切り換え器を切り換える駆動軸と、
を有する変圧器のタップを切り換える変圧器タップ切り換え方法において、
前記本体筐体の上方で前記本体筐体に対して液密に、前記筐体貫通部および前記駆動軸上端を被うように、動力源を有する駆動ユニットを配置し、
前記駆動ユニットによって前記駆動軸を駆動すること、
を特徴とする変圧器タップ切り換え方法。
【請求項１３】
複数の端子を持つ巻線と、
前記巻線を絶縁する流体の絶縁媒体と、
前記端子との接続を選択するタップ切り換え器と、
前記タップ切り換え器の選択位置を示す表示部と、
前記巻線、絶縁媒体およびタップ切り換え器を収容して密閉され接地された本体筐体と、
前記タップ切り換え器を切り換える駆動軸と、
動力源を有して前記駆動軸を駆動する駆動ユニットと、
を有する変圧器のタップを切り換える変圧器タップ切り換え方法において、
動力源を有する駆動ユニットを前記本体筐体の外側に配置し、
力伝達機構によって前記本体筐体の壁を通して前記駆動ユニットの駆動力を前記駆動軸に伝達すること、
を特徴とする変圧器タップ切り換え方法。
【発明の詳細な説明】
【技術分野】
【０００１】
本発明は、タップ切り換え器付き変圧器、およびかかる変圧器のタップ切り換え方法に関する。
【背景技術】
【０００２】
従来のタップ切り換え器付き変圧器は、電磁誘導により電力を変成する巻線を筐体に納め絶縁媒体を封入していた。この巻線の途中にタップを設け、引出線の接続位置を変更することにより出力電圧や電流を調整していた。１巻線に複数のタップが設けられる。高電圧機器の場合、タップ数が多くなるとともに、タップ間の電位差が大きく、通過電流による発熱を除去するために比熱の大きい液体絶縁媒体に浸漬されることが多い。気体絶縁媒体の場合は、熱容量を大きくするために数気圧に加圧封入される場合が多い。
【０００３】
また、通電状態でのタップの切り換えには、タップ切り換え時に瞬断する直接切り換えと、タップ間に電流制限素子を介在させる無瞬断切り換え方式（負荷時タップ切り換え）がある。両者とも切り換え時に電流を遮断する必要があるため、接点間アーク消弧機構が不可欠である。一般的には変圧器の筐体内に充填された絶縁油などの絶縁媒体をアーク消弧に流用している。
【０００４】
電流遮断性能を有する接点は高価であるため、多数のタップすべてに電流遮断性能を持たせることは著しく不経済である。一般には電流遮断機能を有するダイバータスイッチと、ダイバータスイッチに接続するタップを選択するタップセレクタの２ユニットによりタップ切り換え器を構成している。ダイバータスイッチはアークを遮断する必要から高速動作を要求される。電力用遮断器と同様、電磁石による吸引やバネ蓄勢による駆動が適用できるが、タップ選択器の駆動と兼用できるバネ蓄勢方式が多用される。
【０００５】
一般的に、運転時にタップ接続位置を変更する必要のある変圧器は、操作員が電気的に安全な場所からタップ位置を確認できる機能を必要とする。そのために、接地された筐体側面または上部の側面方向にタップ番号表示機構を設け、その機構にタップ駆動動力源を内蔵させた駆動ユニット方式を採用することが多い。大型で背が高い変圧器では、駆動ユニットは、たとえば特許文献１に示されているように、筐体側面の下方に設置される。
【０００６】
タップ駆動動力源としては誘導型交流電気モータが多用される。駆動ユニットには停電時や機器設置時にタップを切り換えられる手動機構を併設していることが多い。一般的に、タップ切り換え器はダイバータスイッチ保守の都合で変圧器上部に配置される。
【０００７】
このようにタップ駆動に関係する機器が筐体の内外に分離していて、それらは筐体を貫通する駆動軸により連結されている。駆動軸の筐体貫通部は前記理由により筐体上面に設けられている。そのため、駆動ユニットから筐体側面に沿って上方に向かう駆動軸から、筐体上面端部で駆動方向を変更し、筐体上面に沿って延長する必要がある。さらに、筐体上面に沿った駆動軸をタップ切り換え器からの駆動軸が筐体を貫通する上方および筐体上面端部で駆動方向を変更しながら連結せしめる必要があり、機械的構成が複雑であった。このため機器が高額になると同時に故障要素の増加により故障率が上昇していた。
【０００８】
さらに、筐体貫通部には筐体内部に充填された絶縁媒体の漏洩および、外部からの雨水浸入を防止するためのシール構造が不可欠であった。特に加圧された気体を封入した場合、駆動軸にガス圧が加わり、貫通部はガスシールを兼ねるスラスト軸受けが必要であった。
【０００９】
特許文献２に示されているように、駆動軸が緩衝ガス室を貫通するように構成することにより、ガスシール部の圧力差を低減させ、貫通部の圧力差によるガスリークを低減させる技術が知られている。また、特許文献３に示されているように、駆動機構全体を機器内部と同じガス圧環境に設置する技術が知られている。
【特許文献１】特開平４−１９６４０３号公報
【特許文献２】特開平２−２３２９１０号公報
【特許文献３】特開平３−１５１６１０号公報
【発明の開示】
【発明が解決しようとする課題】
【００１０】
以上のように、圧力差を有する駆動軸貫通部のガスリーク問題への対処手段が知られているが、駆動機構を変圧器本体の筐体内部に収納することから、高圧ガス容器である筐体が大きくなり機器が高額となっていた。また、油入り変圧器は、駆動機器特にモータが絶縁媒体に浸漬すると不純物や異物が絶縁油中に溶け出したり過熱や微小放電により絶縁油が劣化するなどの問題があり、駆動機構を筐体に収納する特許文献３の方法は適用困難である。
【００１１】
そのため筐体外部に設置される駆動機構と筐体内部に収納されたタップ切り換え器とを機械的に連結するための筐体貫通部が不可欠であり、貫通部には筐体内部に封入された絶縁媒体の漏洩や外部から雨水などの浸入を防止するための動シール構造が必要である。動シール構造は静止絶縁機器に比べて耐久性が劣るため、定期的な保守・交換が必要である。高価であると同時に故障要因が多い。
【００１２】
また従来の油絶縁タップ切り換え器は本体筐体に収納される部位すべてが絶縁油で満たされている。絶縁油の熱膨張を緩和するため機器筐体の上部にコンサベータを設ける必要があった。一般に密閉型コンサベータでなく気室を有する開放型コンサベータが用いられている。コンサベータ呼吸管からの雨水浸入を防ぐために、コンサベータから本体側面の下方向に呼吸管を延ばさなくてはならない。
【００１３】
また、従来のタップ位置表示装置は、駆動ユニットの動作によりタップ切り換え器のタップ位置を表示させていた。そのため、切り換え装置の異常停止やギアのすべりなどが生じると、タップ位置と表示とが不整合となる。特に、タップ切り換えには強いトルクが必要で、この駆動軸と内部動作を推定する機構とが同一であることから表示不整合が生じやすかった。何らかの機械的滑りが生じると状態表示が不整合となる。
【００１４】
大型機器の筐体側面に駆動ユニットを設置する場合、駆動ユニットから前記貫通部までの駆動機構が必要である。一般には少なくとも２回以上の駆動方向変更リンク機構が必要であり、それらを支持するための構造物や給油などの保守作業も必要である。変圧器が大型になるにつれ、駆動装置も長大となるが、変圧器ほど堅牢に製造されない。また回転部であることから駆動軸を巻き込み防止用の保護カバーで覆うなどの養生が必要である。また輸送時に加わる外力による駆動ロッドの軸受けが偏心しないよう、輸送時には軸固定などの保護が必要であり、このため輸送費用が高額であった。
【００１５】
本発明は上記課題を解決するためになされたものであり、筐体貫通部でのガスリークや雨水の浸入を防止または抑制し、しかも設置作業が容易な、タップ切り換え器付き変圧器およびかかる変圧器のタップ切り換え方法を提供することを目的とする。
【課題を解決するための手段】
【００１６】
本発明は上記目的を達成するものであって、複数の端子を持つ巻線と、前記巻線を絶縁する流体の絶縁媒体と、前記端子との接続を選択するタップ切り換え器と、前記タップ切り換え器の選択位置を示す表示部と、前記巻線、絶縁媒体およびタップ切り換え器を収容して密閉され接地された本体筐体と、前記本体筐体の上面に形成された筐体貫通部で本体筐体を貫通し、前記タップ切り換え器を切り換える駆動軸と、を有するタップ切り換え器付き変圧器において、前記本体筐体の上方で前記本体筐体に対して液密に取り付けられ、前記筐体貫通部および前記駆動軸上端を被うように配置された駆動ユニット筐体と、前記駆動ユニット筐体内に配置され、動力源を有して前記駆動軸を駆動する駆動ユニットと、を有することを特徴とする。
【００１７】
また、本発明は、複数の端子を持つ巻線と、前記巻線を絶縁する流体の絶縁媒体と、前記端子との接続を選択するタップ切り換え器と、前記タップ切り換え器の選択位置を示す表示部と、前記巻線、絶縁媒体およびタップ切り換え器を収容して密閉され接地された本体筐体と、前記タップ切り換え器を切り換える駆動軸と、動力源を有して前記駆動軸を駆動する駆動ユニットと、を有するタップ切り換え器付き変圧器において、前記駆動軸は前記本体筐体内に収容され、前記駆動ユニットは前記本体筐体の上方に配置され、前記本体筐体の壁を通して前記駆動ユニットの駆動力を前記駆動軸に伝達する力伝達機構を有すること、を特徴とする。
【００１８】
さらに、本発明は、複数の端子を持つ巻線と、前記巻線を絶縁する流体の絶縁媒体と、前記端子との接続を選択するタップ切り換え器と、前記タップ切り換え器の選択位置を示す表示部と、前記巻線、絶縁媒体およびタップ切り換え器を収容して密閉され接地された本体筐体と、前記本体筐体の上面に形成された筐体貫通部で本体筐体を貫通し、前記タップ切り換え器を切り換える駆動軸と、を有する変圧器のタップを切り換える変圧器タップ切り換え方法において、前記本体筐体の上方で前記本体筐体に対して液密に、前記筐体貫通部および前記駆動軸上端を被うように、動力源を有する駆動ユニットを配置し、前記駆動ユニットによって前記駆動軸を駆動すること、を特徴とする。
【００１９】
さらに、本発明は、複数の端子を持つ巻線と、前記巻線を絶縁する流体の絶縁媒体と、前記端子との接続を選択するタップ切り換え器と、前記タップ切り換え器の選択位置を示す表示部と、前記巻線、絶縁媒体およびタップ切り換え器を収容して密閉され接地された本体筐体と、前記タップ切り換え器を切り換える駆動軸と、動力源を有して前記駆動軸を駆動する駆動ユニットと、を有する変圧器のタップを切り換える変圧器タップ切り換え方法において、動力源を有する駆動ユニットを前記本体筐体の外側に配置し、力伝達機構によって前記本体筐体の壁を通して前記駆動ユニットの駆動力を前記駆動軸に伝達すること、を特徴とする。
【発明の効果】
【００２０】
本発明によれば、タップ切り換え器付き変圧器で、筐体貫通部でのガスリークや雨水の浸入を防止または抑制することができ、更に、変圧器の設置作業が容易である。
【発明を実施するための最良の形態】
【００２１】
以下に、図面を参照しながら本発明に係るタップ切り換え器付き変圧器の実施形態について説明する。ここで、互いに同一または類似の部分には共通の符号を付して、重複説明は省略する。
【００２２】
［第１の実施形態］
本発明に係るタップ切り換え器付き変圧器の第１の実施形態を、図１および図２を参照して説明する。ここで、図１は本発明に係るタップ切り換え器付き変圧器の第１の実施形態の縦断面図であり、図２は図１のタップ切り換え器付き変圧器の要部拡大縦断面図である。
【００２３】
図示のように、本体筐体３内に変圧器の巻線１５が収容されており、巻線１５は複数の端子２１に接続されている。本体筐体３の天板２２および側面に接して本体筐体３内にタップ切り換え器１が設けられている。タップ切り換え器１の下部にはタップ選択器１ａが形成されており、変圧器の巻線１の端子２１が接続されている。タップ切り換え器１の上部には、本体筐体３の天板２２に接して遮断部１ｂが形成されている。遮断部１ｂは、油などの絶縁媒体１１が満たされている。
【００２４】
遮断部１ｂの上方に、本体筐体３から上方に突出して駆動ユニット５が配置されている。駆動ユニット５にはモータなどの駆動動力源２０が含まれている。駆動ユニット５の外側は、天板２２の上面に接して配置された駆動ユニット筐体２３で覆われている。天板２２の上面と駆動ユニット筐体２３との接合部はガスケット６などにより気密が保たれる構造になっている。
【００２５】
タップ選択器１ａを駆動する駆動軸２は、選択器１ａから鉛直上方に延びて、遮断部１ｂを通り、天板２２に設けられた貫通部４を貫通して駆動ユニット５と結合されている。駆動軸２が貫通部４を貫通する部分には貫通部シール部材４ａが配置され、駆動軸２が貫通部シール部材４ａと摺動しながら気密または液密が保てるようになっている。
【００２６】
天板２２の上方の駆動ユニット筐体２３の横にはコンサベータ（油溜め）１０が配置されており、コンサベータ１０の下部は遮断部１ｂの上部に連絡している。コンサベータ１０の上部は、呼吸管８によって駆動ユニット筐体２３の上部に連絡している。コンサベータ１０の下部には絶縁媒体１１である油が溜められ、コンサベータ１０内に油面１６が形成されている。
【００２７】
駆動ユニット筐体２３の側面にはタップ位置表示装置（選択タップ番号表示装置）７が取り付けられており、変圧器の横の地上にいる作業員がタップ位置表示装置７を見上げることによってタップ位置を確認できるようになっている。タップ切り換え器１は変圧器の側部に設けられているので、本体筐体３の上面に駆動ユニット５を設置しても駆動ユニット５は地上からの可視範囲である。したがって、駆動ユニット５にタップ位置表示装置７を設けても、操作員が、電気的に安全な場所から監視可能である。
【００２８】
本実施形態によれば、貫通部４は駆動ユニット筐体２３により覆われているので、太陽光が貫通部のシール部材４ａに照射することはない。これにより、シール部材４ａの劣化が防止される。
【００２９】
また、ガスケット６により、雨水が貫通部４に到達するのが防止できる。これにより、機器内部への雨水浸入を防止することができる。
【００３０】
また、本体筐体３上部に設置された駆動ユニット筐体２３がコンサベータ１０の気室の機能を果たすので、気室容量が増大し、温度変化による圧力変動が小さくなるため外気呼吸を要しない密閉型コンサベータの構造をとることができる。よって、通常の呼吸管に必須であるシリカゲルなどの除湿装置が不要となる。これにより、絶縁劣化を防止・抑制できるのでタップ切り換え器を小型・安価とすることができる。
【００３１】
また、筐体天板２２および貫通部シール部材４ａによって本体筐体３と駆動ユニット筐体２３とが区分されているので、駆動ユニット５の駆動動力源２０などを絶縁媒体１１に浸漬せず、絶縁媒体１１を損ねることはない。
【００３２】
さらに、駆動ユニット５を筐体貫通部４の直上に設け、駆動ユニット５とタップ切り換え器１を直線状に配置することにより、異なる方向の駆動機構をリンクするための構造体が不要となる。
【００３３】
さらに、従来のタップ切り換え器付き変圧器に対して、駆動ユニットの設置方法とタップ表示機構を変更するのみで、故障抑制、保守削減が可能であるとともに、輸送時の養生も不要となるので、機器運用のトータルコストが削減される。
【００３４】
なお、この実施形態では、従来可能であった手動操作が不可能となる。この点について以下に述べる。一般に、変圧器のタップ切り換え器で手動操作を行なうのは、操作電源が喪失した場合と、タップ切り換え器が故障した場合である。
【００３５】
運転開始に生じる操作電源の喪失時は事故保護用の継電器を含む他の機器の電源も喪失する場合がほとんどであり、当該変圧器の運転制御を行なわない状態であるため手動機構が無くても問題ない。機器設置時の電源は工事用電源から供給すればよい。
【００３６】
また、タップ切り換え器の故障時は、制御機構の故障でなければ機器運転者が手動でタップを切り換えることは変圧器の破損となる重大事故をもたらす可能性が非常に高いので実施すべきでない。制御機構の故障であれば、手動で駆動軸を回さずとも、動力源のオンオフを手動で行なえば十分である。
【００３７】
よって、修理者による調査測定時以外に手動操作は不要であり、修理時には変圧器は運転を中止しており、かつまた、変圧器に組み込んだ状態でタップ切り換え器を調整することもない。変圧器から取り外した状態で修理するため、手動操作機構を省略しても実用上の問題はない。
【００３８】
［第２の実施形態］
本発明に係るタップ切り換え器付き変圧器の第２の実施形態を、図３を参照して説明する。ここで、図３は本発明に係るタップ切り換え器付き変圧器の第２の実施形態の要部縦断面図である。
【００３９】
この実施形態は第１の実施形態の変形であって、本体筐体３と駆動ユニット筐体２３とを外側で連通するコンサベータや呼吸管をなくす点が第１の実施形態と異なる。また、貫通部シール部材をなくして、貫通部４を通じて本体筐体３と駆動ユニット筐体２３とが内部で連通するようにしている。さらに、この実施形態では、遮断部１ｂ内上部に絶縁媒体１１の油面１６が形成されている。
【００４０】
この実施形態では、貫通部４がシール構造をもたないので、タップ切り換え器１に封入された絶縁媒体１１の熱膨張は駆動ユニット筐体２３の内部空間を用いて緩和される。
【００４１】
駆動ユニット筐体２３のシールの気密は、第１の実施形態と同様にガスケット６によって保つことができる。一般に静止部でのシールは容易である一方で、相対的に運動している部分でのシールは困難であって、磨耗によるシール性能の劣化なども生じやすい。この実施形態では、駆動軸２が貫通する貫通部４でのシール機能を不要とし、静止部のガスケット６でシールすることにより、シール性能を容易に向上でき、安価なシール構造・部材が適用できる。また、シール部の保守を不要とすることも削減することが可能であり、次の保守までの期間の延長が可能となる。
【００４２】
なお、上記説明では、本体筐体３の天板２２の上部に駆動ユニット筐体２３を配置して、天板２２と駆動ユニット筐体２３の接合部にガスケット６を配置することとしたが、本体筐体３と駆動ユニット筐体２３を一体構造として一つの筐体としてもよい。
【００４３】
［第３の実施形態］
本発明に係るタップ切り換え器付き変圧器の第３の実施形態を、図４を参照して説明する。ここで、図４は本発明に係るタップ切り換え器付き変圧器の第３の実施形態の要部縦断面図である。
【００４４】
この第３の実施形態は第２の実施形態の変形であって、この実施形態では、本体筐体３の天板２２の貫通部３がなく、本体筐体３と駆動ユニット筐体２３が完全に仕切られている。
【００４５】
本体筐体３内の駆動軸２の上端と駆動ユニット筐体２３内の駆動ユニット５は、リンク機構（力伝達機構）１２により、天板２２を通じて非接触で力を伝達できる構造になっている。たとえば、天板２２が非磁性体でできていて、リンク機構１２は磁気結合したものとなっている。
【００４６】
駆動ユニットの駆動源２０と駆動軸２とが磁気結合しているので、機械的動力が本体筐体３の天板２２を通して伝達される。本体筐体３に貫通部が存在しないので、絶縁媒体１１が本体筐体３内に密封される。
【００４７】
この実施形態では、駆動ユニット筐体２３は気密である必要はない。この実施形態によれば、シール部材が存在しないので、部材の劣化や運動を容易にする給脂も不要となる。また、雨水が貫通部に滞留することがなく、シール部材の劣化が防止される。ひいては絶縁媒体の異物混入による劣化が減少する。また、機器の保守作業が削減されるため保守費用が安価となる。
【００４８】
［第４の実施形態］
本発明に係るタップ切り換え器付き変圧器の第４の実施形態を、図５を参照して説明する。ここで、図５は本発明に係るタップ切り換え器付き変圧器の第４の実施形態の要部縦断面図である。
【００４９】
この第４の実施形態は第３の実施形態の変形であって、この実施形態では、本体筐体３の側面に覗き窓１３が設けられ、本体筐体３外部の地上から操作員が、覗き窓１３を通してタップ切り換え器１を目視できるようになっている。
【００５０】
さらに、駆動ユニット５の力を駆動軸２に伝達するためのリンク機構（力伝達機構）１２のほかに、駆動軸２の位置情報を伝達するためのリンク機構２５が、設けられている。たとえば、第３の実施形態と同様に、天板２２が非磁性体でできていて、リンク機構２５はリンク機構１２と同様に磁気結合したものとなっている。これにより、本体筐体３を密封した状態で、本体筐体３内部に収納されたタップ切り換え器１の状態、特にタップ位置をタップ位置表示装置７に表示することができ、この表示を本体筐体３の外部から確認できる。
【００５１】
この実施形態によれば、本体筐体３の上面に貫通部が存在しないことから、雨水が当該貫通部に滞留せず、また日光照射時間が短くあるいは直射がなくなり、シール部材の劣化が防止される。ひいては絶縁媒体の異物混入による劣化が減少する。
【００５２】
本実施形態では、タップ切り換え器の状態を本体筐体３に設けた覗き窓１３から観測することによりタップ切り換え器１の状態が判別でき、タップ切り換え器１とタップ位置表示装置７との不整合を防ぐことができる。
【００５３】
さらに、大きなトルクを必要とするタップ切り換え器用駆動軸２と異なる機械力伝達機構を用いることにより、動力伝達機構などでのすべりが生じても大きなトルク伝達が不要である専用のリンク機構２５により、タップ切り換え器１とタップ位置表示装置７との不整合が防止できる。これにより、タップ切り換え器挿入口の蓋を非磁性体で構成すれば、安価な磁気結合の機械リンク機構が適用できる。
【図面の簡単な説明】
【００５４】
【図１】本発明に係るタップ切り換え器付き変圧器の第１の実施形態の縦断面図である。
【図２】図１のタップ切り換え器付き変圧器の要部拡大縦断面図である。
【図３】本発明に係るタップ切り換え器付き変圧器の第２の実施形態の要部縦断面図である。
【図４】本発明に係るタップ切り換え器付き変圧器の第３の実施形態の要部縦断面図である。
【図５】本発明に係るタップ切り換え器付き変圧器の第４の実施形態の要部縦断面図である。
【符号の説明】
【００５５】
１…タップ切り換え器、１ａ…タップ選択器、１ｂ…遮断部、２…駆動軸、３…本体筐体、４…貫通部、４ａ…貫通部シール部材、５…駆動ユニット、６…ガスケット、７…タップ位置表示装置、８…呼吸管、１０…コンサベータ、１１…絶縁媒体、１２…リンク機構（力伝達機構）、１３…覗き窓、１５…巻線、１６…油面、２０…動力源（モータ）、２１…端子、２２…天板、２３…駆動ユニット筐体、２５…リンク結合
【図１】
2007335770.tif 000003
【図２】
2007335770.tif 000004
【図３】
2007335770.tif 000005
【図４】
2007335770.tif 000006
【図５】
2007335770.tif 000007